(57)【要約】【課題】各種商業施設、イベント会場の入口に簡単に配置できる集合ペットハウスを提供し、ペットを安全に預かり、顧客・利用者が安心して買いまわり、施設の利用ができるようにする。【解決手段】ハウス１１内を、ドアー１７ｄを有する隔壁１７によってペット収容ゾーンＡと装置ゾーンＢとに区画し、上記ペット収容ゾーンＡには複数のユニットルーム１２配設し、装置ゾーンＢには、給水ポンプ１３とコンプレッサー１５と温風発生器１６とを配設し、上記ユニットルーム１３には、ペット存否検知センサー２２と室内洗浄用シャワースプレー２３と温風吹き出し口２４と簀の子２５と配水管２６に繋がる排水口２７を設けた排水パン２８とを配設し、上記ユニットルーム１２の前面には、コインを投入することにより施錠可能で使用済後に開錠可能にした扉３０を設けてなり、必要ならば上記ユニットルーム１２の扉３０をガラスまたは透明プラスチック扉とし、室内側にワイヤネット２９を配してなる。【選択図】図１
2008092934.tif 000002
【特許請求の範囲】
【請求項１】
ハウス（１１）内を、ドアー（１７ｄ）を有する隔壁（１７）によってペット収容ゾーン（Ａ）と装置ゾーン（Ｂ）とに区画し、上記ペット収容ゾーン（Ａ）には複数のユニットルーム（１２）を配設し、装置ゾーン（Ｂ）には給水ポンプ（１３）とコンプレッサー（１５）と温風発生器（１６）とを配設し、上記ユニットルーム（１２）には、ペット在否検知センサー（２２）と室内洗浄用シャワースプレー（２３）と温風吹き出し口（２４）と簀の子（２５）と配水管（２６）に繋がる排水口（２７）を設けた排水パン（２８）とを配設し、上記ユニットルーム（１２）の前面には、コインを投入することにより施錠可能で使用済後に開錠可能にした扉（３０）を設けてなるペット集合ハウス。
【請求項２】
上記ユニットルーム（１２）の扉（３０）をガラスまたは透明プラスチックとし、室内側にワイヤネット（２９）を配してなる請求項１に記載のペット集合ハウス。
【請求項３】
下記洗浄システムを備えてなる請求項１または２に記載のペット集合ハウス。
記
（ａ）ペット在否検知センサー（２２）の信号が「在」から「否」に変わり、扉（３０）が閉められるとタイマーが作動し、
（ｂ）上記タイマーの設定時間経過後、圧縮空気（圧縮空気弁「開」）によりユニットルーム（１２）内に上水（給水弁「開」）がタイマーに設定された時間噴霧されて洗浄され、
（ｃ）上記設定時間が経過すると圧縮空気が吹き込まれてユニットルーム（１２）内の水切りが行われ、
（ｄ）水切りが終了すると温風がタイマーに設定された時間供給されてユニットルーム（１２）内を乾燥し、
（ｅ）上記各工程が終了するとユニットルーム（１２）が使用可能状態に戻る。
【発明の詳細な説明】
【技術分野】
【０００１】  この発明は、ペットを場内に連れて入ることのできない大型店舗、ホテル（旅館）、レストラン等の入口に設置することを考慮したペット集合ハウスに関する。
【背景技術】
【０００２】  犬・猫などペットを飼育している家庭が急増しており、これらペットを家族と同様に扱う傾向が強まっている。一方、大型店舗、ホテル（旅館）、レストラン等ではペットを施設内に連れてはいることを拒むのが一般的である。【０００３】  こうしてペットを連れてはいるのを拒んでいてはマイナスの集客効果となるため業界では、サービスの一環としてペットを一時的に預かり、安心して買い物、宿泊、施設の利用などをしてもらおうとする動向が見られる。
【発明の開示】
【発明が解決しようとする課題】
【０００４】  こうしてペットを一時的に預かるものの先行技術として特許文献１を挙げることができる。【０００５】
【特許文献１】特開２００４−０９７１０５号公報（要約および選択図面）
【０００６】  上記特許文献は「建物内の居室内に収容されるペットが一時的に保管されたり宿泊するためのペットハウスが集合したペット用集合ハウス３０である多数のユニットルームＲ１が隣接して配置され、隣接するユニットルームＲ１，Ｒ１間の少なくとも一ヶ所には、挿入及び引き抜くことにより隣接するユニットルームＲ１，Ｒ１を画成又は連通させることができる引き抜き壁３１備え、各ユニットルームＲ１の前方には施錠可能な扉をそれぞれ備え、各ユニットルームＲ１の後方の上方は該ユニットルームＲ１の天井壁３４により閉鎖されているが、前方は開放されている」というものである。【０００７】  上記先行技術によれば、ユニットルームＲ１を画成し又は連通すること、前面の扉を施錠可能にすること、これらのユニットルームを建物内に収容することが記載されているが、ユニットルームを備えた建物全体を移動可能にすること、コインを投入することによりユニットルームを施錠可能で、使用後は開錠可能とすること、使用後にユニットルームの清掃等を行うことについては触れていない。【０００８】  上記状況に鑑みこの発明は、大型店舗、ホテル（旅館）、レストラン等、施設の性格上ペットを連れて入ることを拒まなければならない施設において、顧客へのサービスとしてペットを一時的に収容し、使用開始時にはコインを投入して施錠可能にし、使用後は適宜開錠可能で、顧客へのサービスを旨とするときはコインを返却できるようにしたペット集合ハウスであり、そのペット集合ハウスはハウスごと移動・設置可能にし、ハウス内を常に清潔に保つようにしたペット集合ハウスを提供しようとするものである。
【課題を解決するための手段】
【０００９】  上記課題を解決するためにこの発明は、ハウス１１内を、ドアー１７ｄを有する隔壁１７によってペット収容ゾーンＡと装置ゾーンＢとに区画し、上記ペット収容ゾーンＡには複数のユニットルーム１２を配設し、装置ゾーンＢには給水ポンプ１３とコンプレッサー１５と温風発生器１６とを配設し、上記ユニットルーム１２には、ペット在否検知センサー２２と室内洗浄用シャワースプレー２３と温風吹き出し口２４と簀の子２５と配水管２６に繋がる排水口２７を設けた排水パン２８とを配設し、上記ユニットルーム１２の前面には、コインを投入することにより施錠可能で使用済後に開錠可能にした扉３０を設けてなり、必要ならば上記ユニットルーム１２の扉３０をガラスまたは透明プラスチックとし、室内側にワイヤネット２９を配してなる。
また、上記ペット集合ハウスに下記洗浄システムを備えてなる。
記
（ａ）ペット在否検知センサー（２２）の信号が「在」から「否」に変わり、扉（３０）が閉められるとタイマーが作動し、
（ｂ）上記タイマーの設定時間経過後、圧縮空気（圧縮空気弁「開」）によりユニットルーム（１２）内に上水（給水弁「開」）がタイマーに設定された時間噴霧されて洗浄され、
（ｃ）上記設定時間が経過すると圧縮空気が吹き込まれてユニットルーム（１２）内の水切りが行われ、
（ｄ）水切りが終了すると温風がタイマーに設定された時間供給されてユニットルーム（１２）内を乾燥し、
（ｅ）上記各工程が終了するとユニットルーム（１２）が使用可能状態に戻る。
【発明の効果】
【００１０】  上記のごとく構成するこの発明によれば、大型店舗、ホテル（旅館）、レストラン等、施設の性格上ペットを連れて入ることを拒まなければならない施設において、ペットを預かって顧客が安心して買い回りできるようにし、核施設の営業効果を上げ、ペット集合ハウスは常に清浄にしてペットの安全衛生を守ることができる。
【発明を実施するための最良の形態】
【００１１】  次にこの発明の実施例を、図１ないし図４を参照しながら説明する。ハウス１１内には、複数のユニットルーム１２と給水ポンプ１３を備えた給水タンク１４とコンプレッサー１５と温風発生器１６とが配設されており、ユニットルーム１２と給水タンク１４、コンプレッサー１５、温風発生器１６などの装置類とはドアー１７ｄを設けた隔壁１７で区画されてあり、ハウス１１には、換気扇１８、脱臭器１９、監視カメラ２０が備えられてある。なお、上記ユニットルーム１２にはペットのシャワーリングルーム１２ｓを併設することができる。このユニットルーム１２およびシャワーリングルーム１２ｓにはシャワースプレー２３、温風吹き出し口２４が設けられている。【００１２】  ユニットルーム１２には、遮音構造の換気ダクト２１とペットの在否検知センサー２２とシャワースプレー２３と温風吹き出し口２４と木質または発泡プラスチックあるいはワイヤネットを素材とする簀の子２５と配水管２６に接続される配水管２７を有する排水パン２８を備え、上記ユニットルーム１２の前面には、内側にワイヤネット２９を配した扉３０（ガラスまたは透明プラスチック扉でも良い）が設けられている。なお、上記遮音構造の換気ダクト２１の構造は吸音ブロック２１ｂを換気ダクトの内壁に千鳥状に配設してペットの鳴き声を遮断するようにしたものである。【００１３】  上記扉３０には図示しないコイン投入口が設けられ、コインを投入することにより施錠可能状態になり、ペットをユニットルーム１２に入れて施錠し鍵を抜き取るとコインが収納され、使用後は鍵を鍵穴に差し込むと開錠する構造になっている。なお、上記実施例は、利用者に課金する方式となっているが、外食産業、ホテル（旅館）、大型店舗、スポーツ施設等のように顧客へのサービスを旨とするときは課金しない方式とすることができる。【００１４】  次に、この実施例の機能について図５および図６を参照しながら説明する。ユニットルーム１２からペットが連れ出され、扉３０が閉められるとペットの在否検知センサー２２が「否」を検知してその信号を制御部３２に伝達し制御部３２内に設けられたタイマーが始動して設定時間経過後にバルブＶ１およびＶ２が開いて加圧空気と水が供給されてシャワースプレー２３から洗浄水が噴霧されユニットルーム１２内が洗浄される。【００１５】  洗浄が終了するとバルブＶ１，Ｖ２が閉じ、切り替えバルブＶ３がコンプレッサー１５側に開いてユニットルーム１２内に圧縮空気を吹き込んで水切りを行い、設定時間経過すると切り替えバルブＶ３が温風発生器１６側に切り替わってユニットルーム１２内を乾燥する。なお、ここでは切り替えバルブにより圧縮空気と温風の切り替えを行ったが、二個のバルブを設けて切り替えるようにすることができる。【００１６】  ユニットルーム１２内の洗浄時に発生する水分は、排水パン２８に集められ配水管２６、排水ポンプ３３を経て排水タンク３１に排出される。なお、集合ペットハウス１０の設置場所に下水道が敷設されているときは排水タンクを設けず、直接下水道に排水することもできる。【００１７】  上記ペットのシャワーリングルーム１２ｓには、ペットの在否検知センサー２２とシャワースプレー２３と温風���き出し口２４と簀の子２５と排水パン２８とが設けられ、上記給水ポンプ１３、コンプレッサー１５、温風発生器１６等と連動してペットのシャワーリングができるようになっている。【００１８】  ハウス１１は、軽量形鋼と亜鉛めっき鋼鈑によって骨格を形成し、発泡ポリウレタンを充填した内外壁パネル、屋根パネル、ドアーパネルでもって断熱・防音構造とし、床材は通常の材料に耐水性ビニルシートを貼り付けたものであり、ハウスのベース部分の下面にはフォークリフトの爪を差し込める構造としている。【００１９】  四隅のパネル突き合わせ部分は、図７に示すように壁パネルＰが直角に突き合った内側コーナーに内部コーナー宛がい金具３５を、外側コーナーにコーナー引寄せ金具３６、コーナー当て金具３７、外側コーナー金具３８を順次配置して、内部コーナー宛がい金具３５とコーナー引寄せ金具３６との間に引寄せビス４０を亘設して締め付け、外側コーナー金具３８の両端のはぜ折り部に安全カバー３９を被せて安全性を高めている。なお、安全カバー３９の内側空洞は、配線・配管のスペースとして活用することができる。
【産業上の利用可能性】
【００２０】  以上説明した通りこの発明によれば、大型店舗、ホテル（旅館）、レストラン等施設の性格上ペットを連れてはいることを拒まなければならない施設において、顧客へのサービスとしてペットを一時的に預かり得るようになって集客効果を発揮し、引いては営業利益向上に資することができ、顧客は安心してイベント、行事への参加、自由な買い廻りが可能になって産業上利するところが大きい。
【図面の簡単な説明】
【００２１】
【図１】本発明に係る集合ペットハウスの桁に沿う縦断面図
【図２】同水平断面図
【図３】同梁に沿う縦断面図
【図４】ユニットルーム部分の拡大縦断面図
【図５】同ユニットルームの制御説明図
【図６】同制御フロー
【図７】壁パネル接合部分の拡大断面図
【符号の説明】
【００２２】１０  集合ペットハウス
１１  ハウス
１２  ユニットルーム
１２ｓ  （ペットの）シャワーリングルーム
１３  給水ポンプ
１４  給水タンク
１５  コンプレッサー
１６  温風発生器
１７  隔壁
１７ｄ  ドアー
１８  換気扇
１９  脱臭器
２０  監視カメラ
２１  換気ダクト
２１ｂ  吸音ブロック
２２  在否検知センサー
２３  シャワースプレー
２４  温風吹き出し口
２５  簀の子
２６  配水管
２７  排水口
２８  排水パン
２９  ワイヤネット
３０  扉
３１  排水タンク
３２  制御部
３３  排水ポンプ
３４  上水道
３５  内部コーナー宛がい金具
３６  コーナー引寄せ金具
３７  コーナー当て金具
３８  外側コーナー金具
３９  安全カバー
４０  コーナー引寄せビス
４１，４２  ビスねじ
Ｐ  壁パネル
【図１】
2008092934.tif 000003
【図２】
2008092934.tif 000004
【図３】
2008092934.tif 000005
【図４】
2008092934.tif 000006
【図５】
2008092934.tif 000007
【図６】
2008092934.tif 000008
【図７】
2008092934.tif 000009